(57)【要約】  本発明はメディアクライアントによってメディア資産を表示／再生するための方法、システム、ならびに関連するメディアクライアントおよびメディアサーバに関し、メディア資産はメディアサーバによって供給／ストリーミングされる。メディアクライアントは、通信ネットワークを通してメディアサーバに結合される。本発明の方法は、メディアクライアントがメディアクライアントにおいて受け取られるフラグメントプレビュー信号を監視するステップと、フラグメントプレビュー信号を解釈し、その後にメディアクライアントにおいて受け取ったフラグメントプレビュー信号に基づいて、関連付けられたプレビューメディア資産フラグメントを決定するステップとを含む。メディアサーバはさらに、プレビューメディア資産フラグメントを選択し／取り出し（メディア資産保管場所から、メディア資産保管場所はメディアサーバに結合され、その後にメディアクライアントは、メディアサーバによって取り出されたプレビューメディア資産フラグメントを表示する。フラグメントプレビュー信号は、ユーザが、ビデオ表示アプリケーションのプログレスバーの後の時点をマウスを用いてポイントすることに基づくことができる。
2015504633.tif 000002
【特許請求の範囲】
【請求項１】
メディアクライアント（ＭＣ）によってメディア資産を表示する方法であって、前記メディア資産はメディアサーバ（ＭＳ）によって供給／ストリーミングされ、前記メディアクライアント（ＭＣ）は通信ネットワーク（ＣＮ）を通して前記メディアサーバ（ＭＳ）に結合される、方法において、
ａ．前記メディアクライアント（ＭＣ）が、前記メディアクライアント（ＭＣ）において受け取られるフラグメントプレビュー要求信号を監視するステップと、
ｂ．前記フラグメントプレビュー要求信号を解釈し、受け取った前記フラグメントプレビュー要求信号に基づいて、関連付けられたプレビューメディア資産フラグメントを決定するステップと、
ｃ．前記メディアサーバ（ＭＳ）が、前記メディアサーバ（ＭＳ）に結合されたメディア資産保管場所から、前記プレビューメディア資産フラグメントを選択し取り出すステップと、
ｄ．前記メディアクライアント（ＭＣ）が、前記メディアサーバ（ＭＳ）によって取り出された前記プレビューメディア資産フラグメントを表示するステップと、
を含むことを特徴とする、方法。
【請求項２】
前記メディアクライアントが前記プレビューの関連のあるビデオ資産フラグメントを提示するステップの前に、前記メディア資産の前記プレビューフラグメントを処理することによって派生フラグメントを生成するステップをさらに含むことを特徴とする、請求項１に記載のメディア資産フラグメントを表示する方法。
【請求項３】
メディアクライアント（ＭＣ）によってメディア資産を表示するためのシステムであって、前記メディア資産はメディアサーバ（ＭＳ）によって供給され、前記システムはメディアクライアント（ＭＣ）およびメディアサーバ（ＭＳ）を備え、前記メディアクライアント（ＭＣ）は通信ネットワーク（ＣＮ）を通して前記メディアサーバ（ＭＳ）に結合される、システムにおいて、
ａ．前記メディアクライアント（ＭＣ）において受け取られるフラグメントプレビュー要求信号を監視するための、前記メディアクライアント（ＭＣ）内の手段と、
ｂ．前記フラグメントプレビュー要求信号を解釈し、受け取った前記フラグメントプレビュー要求信号に基づいて、関連付けられたプレビューメディア資産フラグメントを決定するための、内の手段と、
ｃ．前記メディアサーバ（ＭＳ）に結合されたメディア資産保管場所から、前記プレビューメディア資産フラグメントを選択し取り出すための、前記メディアサーバ（ＭＳ）内の手段と、
ｄ．前記メディアサーバ（ＭＳ）によって取り出された前記プレビューメディア資産フラグメントを表示するための、前記メディアクライアント（ＭＣ）内の手段と、
を備えることを特徴とする、システム。
【請求項４】
前記メディア資産の前記プレビューフラグメントを処理することによって派生フラグメントを生成する手段をさらに備えることを特徴とする、請求項３に記載のメディア資産フラグメントを表示するシステム。
【請求項５】
メディア資産を表示するためのメディアクライアント（ＭＣ）であって、前記メディア資産はメディアサーバ（ＭＳ）によって供給され、前記メディアクライアント（ＭＣ）は通信ネットワーク（ＣＮ）を通して前記メディアサーバ（ＭＳ）に結合される、メディアクライアント（ＭＣ）において、
ａ．前記メディアクライアント（ＭＣ）においてフラグメントプレビュー信号を監視するためのクライアント入力監視部（ＣＩＭＰ）と、
ｂ．前記フラグメントプレビュー信号を解釈し、前記フラグメントプレビュー信号に基づいて、前記メディア資産の関連付けられたプレビューフラグメントを決定するための入力解釈部（ＩＩＰ）と、
ｃ．メディア資産保管場所から取り出された前記メディア資産の前記プレビューフラグメントを表示するように構成されたフラグメント提示部（ＦＰＰ）と、
を備えることを特徴とする、メディアクライアント（ＭＣ）。
【請求項６】
前記フラグメント提示部（ＦＰＰ）が、前記メディアクライアント（ＭＣ）における前記メディア資産表示において、前記メディア資産の前記プレビューフラグメントを統合するように構成されることを特徴とする、請求項５に記載のメディア資産を表示するためのメディアクライアント（ＭＣ）。
【請求項７】
前記フラグメント提示部（ＦＰＰ）が、前記メディア資産の前記プレビューフラグメントを個々に表示するように構成されることを特徴とする、請求項５に記載のメディア資産を表示するためのメディアクライアント（ＭＣ）。
【請求項８】
メディアクライアント（ＭＣ）にメディア資産を供給するためのメディアサーバ（ＭＳ）であって、前記メディアクライアント（ＭＣ）は前記メディアサーバ（ＭＳ）によって供給される前記メディア資産を表示することができ、前記メディアクライアント（ＭＣ）は通信ネットワーク（ＣＮ）を通して前記メディアサーバ（ＭＳ）に結合される、メディアサーバ（ＭＳ）において、メディア資産保管場所（ＭＡＲ）からの前記メディア資産の前記プレビューフラグメントを選択し／取り出すための取り出し部（ＲＰ）を備え（なお、前記メディア資産保管場所（ＭＡＲ）は前記取り出し部（ＲＰ）に結合されている）、前記プレビューフラグメントは、前記メディアクライアント（ＭＣ）において受け取られたフラグメントプレビュー信号に基づいて決定されることを特徴とする、メディアサーバ（ＭＳ）。
【請求項９】
前記メディアクライアントが前記プレビュービデオ資産フラグメントを提示するステップの前に、前記メディア資産の前記プレビューフラグメントを処理することによって派生フラグメントを生成するための処理部（ＰＰ）をさらに備えることを特徴とする、請求項８に記載のメディアクライアント（ＭＣ）にメディア資産を供給するためのメディアサーバ（ＭＳ）。
【発明の詳細な説明】
【技術分野】
【０００１】
本発明は、請求項１のプリアンブルに記載される方法、請求項３のプリアンブルに記載されるシステム、請求項５のプリアンブルに記載される関連するメディアクライアント、および請求項８のプリアンブルに記載される関連するメディアサーバに関する。
【背景技術】
【０００２】
メディアクライアントにおいてマルチメディア資産を再生するこのような方法は、当技術分野ではすでによく知られている。現在はますます多くの人々が、例としてパーソナルコンピュータ、ネットワーク接続型テレビジョンアプリケーション、メディアプレーヤを有する携帯電話などのメディアクライアントを用いて、インターネットからビデオを視聴している。映画またはビデオなどの一部のより大きなメディア資産の場合は、人々は最も興味のある部分を視聴するために１つのセグメントから他のセグメントにジャンプする、または映画の退屈な部分を単にスキップする傾向がある。不都合なことには、前もって利用可能なプレビュー情報がないために、人々は彼等がジャンプする先のフラグメントが興味のあるものであるかどうかが前もって分からない。
【０００３】
ユーザが、メディア資産の持続時間全体のある時点においてメディア資産を視聴しており、後のフラグメントに向かって先にジャンプしたい場合は、メディア表示アプリケーションのプログレスバーにおいて後の場所にマウスカーソルを移動し、ユーザがプレビューしたいメディア資産の場所でプログレスバーをクリックすることができる。メディアクライアント上で動作しているメディアプレーヤアプリケーションのプログレスバーにおける場所を選択する前は、ユーザは選択された点において何が表示されるかは分からない。再生されるべき次のマルチメディア資産部分を選択した後に、クライアント装置はメディア資産の選択された部分を要求し、受け取る必要があり、ユーザは要求したセグメントをプレーヤが受け取るまで待たなければならない。
【０００４】
しかしユーザは要求したセグメントが再生されたときに始めて、新しく受け取ったセグメントが期待したものでないことが分かる場合がある。次いで彼は、次の興味のあるシーンを求めて探し続けなければならない。このビデオを視聴するやり方は時間がかかり、それに加えて扱いにくい。
【発明の概要】
【発明が解決しようとする課題】
【０００５】
本発明の目的は、上記の知られているタイプのマルチメディア資産を再生するための方法および関連するシステムを提供することであるが、このような方法のユーザは現在視聴しているマルチメディア資産の選択されたフラグメントをプレビューすることが可能になり、これらのフラグメントはクライアントによって、より予想できる直感的なやり方で選ばれる。
【課題を解決するための手段】
【０００６】
本発明によればこの目的は、請求項１による方法、請求項３に記載される関連するシステム、請求項５に記載される関連するメディアクライアント、および請求項８に記載される関連するメディアサーバによって達成される。
【０００７】
実際、最初に、メディアクライアントにおいて受け取られるフラグメントプレビュー要求信号の発生を監視し、ここでフラグメントプレビュー要求信号はユーザによる特定のメディア資産フラグメントのプレビューの要求を示す信号であり、続いてフラグメントプレビュー要求信号を解釈し、次いでメディアクライアントによって受け取られたフラグメントプレビュー要求信号に基づいてプレビューメディア資産フラグメントを決定し、その後にメディアサーバが、結合されたメディア資産保管場所からプレビューメディア資産フラグメントを選択し、取り出し、最後にメディアクライアントがメディアサーバによって取り出された関連のあるメディア資産フラグメントを表示することにより、ユーザは要求されたフラグメントをプレビューすることができ、ユーザがより予想できる直感的なやり方でマルチメディア資産を閲覧することを可能にする。
【０００８】
メディアクライアントは、進行中のメディア資産のストリーミングに統合されたプレビューを再生することができ、またはメディア資産のプレビューフラグメントを単独に再生することができる。
【０００９】
このようにしてメディア資産全体のうちの関連のあるフラグメントだけを、ストリーミングまたは他の方法によってメディアサーバからメディアクライアントに向けて転送するだけでよく、結果としてプレビューフラグメントをより高速に利用可能にすることができる。
【００１０】
本発明の他の特徴的な特性は、請求項２、４、および９に記載される。
【００１１】
方法はさらに、メディアクライアントが関連のあるビデオ資産フラグメントを提示するステップの前に、前記メディア資産のプレビューフラグメントを処理することによって派生フラグメントを生成するステップを含む。この処理は、決定されたメディア資産の関連のあるフラグメントに対する以下の操作、すなわちフィルタリング、物体認識、スケーリング、圧縮、３次元抽出などの１つまたは複数を含むことができる。
【００１２】
ネットワーク帯域幅に基づくスケーリングおよび圧縮の場合は、プレビューメディア、すなわち取り出されたプレビューフラグメントはさらに、クライアントに送り返される前に、縮小または圧縮することができる。フィルタリングの場合は、取り出されたプレビューフラグメントの背景、および／またはプレビューフラグメントからの他の要素は、クライアントに向けてプレビューフラグメントを送る前にフラグメントからフィルタ除去することができ、フィルタリングは一定の要件に基づいて行うことができる。物体認識の場合は特定の物体を認識し、強調表示することができる。
【００１３】
このようにしてメディア資産の関連のあるフラグメントの派生フラグメントはより速やかに提供することができ、メディア資産の関連のあるフラグメントだけを転送するのに必要な時間より、派生フラグメントを転送するのに必要な時間はさらに短いので、プレビューを要求するユーザに対してより適切なものとすることができる。
【００１４】
特許請求の範囲で用いられる「備える（ｃｏｍｐｒｉｓｉｎｇ）」という用語は、その後に列挙された手段に限定されると解釈されるべきでないことに留意されたい。したがって「手段ＡおよびＢを備える装置」という表現の範囲は、構成要素ＡおよびＢのみからなる装置に限定されるべきではない。これは本発明に関して、ＡおよびＢだけが装置の関連のある構成要素であることを意味する。
【００１５】
同様に、やはり特許請求の範囲で用いられる「結合された（ｃｏｕｐｌｅｄ）」という用語は、直接接続のみに限定されると解釈されるべきでないことに留意されたい。したがって「装置Ｂに結合された装置Ａ」という表現の範囲は、装置Ａの出力端が装置Ｂの入力端に直接接続された装置またはシステムに限定されるべきではない。これは、Ａの出力端とＢの入力端との間に経路が存在し、この経路は他の装置または手段を含むことができることを意味する。
【００１６】
添付の図面と併せ読まれる一実施形態についての以下の説明を参照することによって、本発明の上記その他の目的および特徴はより明らかとなり、本発明自体について最も良く理解されるであろう。
【図面の簡単な説明】
【００１７】
【図１】本発明の実装形態が実現された、マルチメディア資産を表示するためのシステムの機能を表す図である。
【図２】本発明による、メディアサーバＭＳに結合されたメディアクライアントＭＣの機能を表す図である。
【発明を実施するための形態】
【００１８】
以下の項では図面を参照して、本発明による方法の実装形態、および関連する装置について述べられる。この説明の第１の項では、図１および図２に示されるようなこのネットワークの主要な要素について述べられる。第２の項では、前に述べられたネットワーク要素と、述べられる手段との間の接続が規定される。それに続く項は、マルチメディア資産を表示する方法の実際の実行である。
【００１９】
本発明のこの実施形態の第１の必須要素は、ストリーミングを用いてメディアサーバによって供給される、メディア資産を表示するためのメディアクライアントＭＣである。このようなシステムは、通常はメディアサーバに結合された複数のメディアクライアントを含むが、この実施形態では２つのメディアクライアントＭＣおよびＭＣ１だけが示される。このようなメディアクライアントＭＣ、ＭＣ１は、ＲＴＰ／ＲＴＳＰ、ＲＴＭＰ、ＨＴＴＰストリーミングなどのメディア表示技術、およびＦｌａｓｈ  Ｐｌａｙｅｒ、ＨＴＭＬ５ビデオなどのメディア表示アプリケーションをサポートする、インターネットに接続されたパーソナルコンピュータである。ＹｏｕＴｕｂｅ（登録商標）、Ｆａｃｅｂｏｏｋなどのいくつかのよく知られているウェブサイトは、これらの種類の技術およびアプリケーションを用いてそれらのクライアントにビデオを提供している。
【００２０】
第２の必須要素は、複数のメディアクライアントＭＣ、ＭＣ１の各メディアクライアントＭＣにメディア資産を供給することができるメディアサーバＭＳである。複数のこのようなメディアクライアントのメディアクライアントのそれぞれは、通信ネットワークＣＮを通してメディアサーバＭＳに結合される。
【００２１】
メディアサーバからメディアクライアントへのメディア資産の供給は、ＲＴＰ／ＲＴＳＰ、ＲＴＭＰ、ＨＴＴＰストリーミングなどのリアルタイムストリーミング技術によって対処される。
【００２２】
メディアクライアントＭＣ、ＭＣ１の両方は、通信ネットワークを通してメディアサーバに結合される。メディアクライアントＭＣのタイプ、例えば携帯型であるか固定の装置であるかに応じて、通信ネットワークに向かう通信インターフェースは異なり得る。通信ネットワークは、アクセスネットワークに連結した基幹インターネットネットワーク、ならびに／または固定のパーソナルコンピュータの場合は有線および／もしくは無線接続を含むホームネットワークとすることができる。
【００２３】
あるいはメディアクライアントが携帯装置である場合は、通信ネットワークは、ＧＳＭ（登録商標）、ＵＭＴＳ、ＬＴＥ、ＷＩＦＩ、ブルートゥースその他などのような無線ネットワークインターフェースを含む。
【００２４】
メディア資産を表示するためのメディアクライアントＭＣは、まずメディアクライアントＭＣにおいてフラグメントプレビュー要求信号を監視するためのクライアント入力監視部ＣＩＭＰを備える。クライアント入力監視部ＣＩＭＰは、メディアクライアントの一体化された、または外部の入力装置とすることができ、入力装置はマウス、キーボード、または他の装置とすることができる。さらにメディアクライアントは、フラグメントプレビュー要求信号を解釈し、フラグメントプレビュー要求信号に基づいてメディア資産のプレビューフラグメントを決定するための入力解釈部ＩＩＰと、メディア資産保管場所から取り出されたメディア資産のプレビューフラグメントを表示するように構成されたフラグメント提示部ＦＰＰとを備える。さらにフラグメント提示部ＦＰＰは、メディア資産のプレビューフラグメントを、メディアクライアントＭＣにおける初期の全体のメディア資産表示に統合することができ、あるいはフラグメント提示部ＦＰＰはメディア資産のプレビューフラグメントを個々に表示するように構成することができる。
【００２５】
さらにメディアクライアントは、メディアクライアントＭＣのユーザとのインターフェースをとるためのユーザインターフェース部ＵＩＰを備えることができ、このユーザインターフェース部は一体化されたディスプレイまたは外部的に結合されたディスプレイとすることができる。
【００２６】
クライアントインターフェース部ＣＩＰは、一方の側では解釈部ＩＩＰおよびフラグメント提示部ＦＰＰと、他方の側では通信ネットワークＣＮとの間のインターフェースに対処する。
【００２７】
メディアクライアントＭＣのクライアント入力監視部ＣＩＭＰは、出力端によって入力解釈部ＩＩＰの入力端に結合され、入力解釈部ＩＩＰは出力端によってクライアントインターフェース部ＣＩＰの入力端に結合される。クライアントインターフェース部ＣＩＰは入力／出力端子を有し、これは同時にメディアクライアントＭＣの入力／出力端子となる。さらにクライアントインターフェース部ＣＩＰは出力端によってフラグメント提示部ＦＰＰの入力端に結合され、フラグメント提示部ＦＰＰはユーザインターフェース部ＵＩＰに結合される。
【００２８】
メディアサーバＭＳはまず、メディア資産保管場所ＭＡＲからメディア資産のプレビューフラグメントを選択するおよび／または取り出すための取り出し部ＲＰと、ストリーミングを用いてメディアクライアントに提供するようにメディア資産を格納するためのメディア資産保管場所ＭＡＲとを備える。
【００２９】
メディアサーバＭＳはさらに、ビデオフラグメントであるプレビューメディア資産フラグメントをメディアクライアントが提示するステップの前に、メディア資産のプレビューフラグメントを処理することによって派生フラグメントを生成するための処理部ＰＰを備える。
【００３０】
サーバインターフェース部ＳＩＰは、一方の側では取り出し部ＲＰおよび処理部ＰＰと、他方の側では通信ネットワークとの間のインターフェースに対処する。
【００３１】
サーバインターフェース部ＳＩＰは入力／出力端子を有し、これは同時にメディアサーバＭＳの入力／出力端子となる。サーバインターフェース部ＳＩＰはさらに出力端子によって取り出し部ＲＰの入力端子に結合され、取り出し部ＲＰは出力端によって処理部ＰＰの入力端に結合される。取り出し部ＲＰはさらにメディア資産保管場所ＭＡＲに結合される。処理部ＰＰはさらに出力端によって、サーバインターフェース部ＳＩＰの入力端に結合される。
【００３２】
本発明の実行について説明するために、第１のメディアクライアントＭＣ、すなわちこの実施形態ではパーソナルコンピュータであるメディアクライアントのユーザは、ビデオ表示アプリケーションをインストールしている、例えばＹＯＵＴＵＢＥ（登録商標）ビデオ表示機能性を用いている、または例えばＹＯＵＴＵＢＥウェブサイト、またはＡＯＬウェブサイト、ＢＢＣ／ＣＮＮなどのビデオコンテンツを提供するウェブサイトを閲覧するためのＩｎｔｅｒｎｅｔＥｘｐｌｏｒｅｒ、Ｃｈｒｏｍｅ、Ｆｉｒｅｆｏｘなどのウェブブラウザを用いてインターネットを閲覧していると仮定する。
【００３３】
現在、主題Ｘのビデオであるメディア資産が、ＹｏｕＴｕｂｅおよびＹｏｕＴｕｂｅメディアサーバＭＳからストリーミングされている。メディアサーバＭＳ内に含まれるメディア資産保管場所ＭＡＲに格納された主題Ｘのビデオは、ストリーミングを用いてメディアクライアントＭＣに供給される。ビデオはメディアクライアントＭＣにおいて受け取られ、メディアクライアントＭＣに結合されたディスプレイに表示される。次にさらに、視聴しているユーザが、主題Ｘを有するＹｏｕＴｕｂｅビデオの後のコンテンツをプレビューしたいと仮定する。したがってユーザは、パーソナルコンピュータに結合されたマウスを用いて、ビデオ表示アプリケーションのプログレスバーの後の時点をポイントする。後の時点は、主題ＸのＹｏｕＴｕｂｅビデオの後のフラグメントを示す。次いでクライアント入力監視部ＣＩＭＰは、フラグメントプレビュー信号、すなわちメディア表示アプリケーションのプログレスバーにおけるマウスカーソルの位置を監視し、このプログレスバー上の位置を入力解釈部ＩＩＰに向けて転送し、入力解釈部ＩＩＰは監視されたマウスカーソル位置に基づいてビデオの相対的な時間位置を決定する。次に入力解釈部ＩＩＰは、このマウス位置を映画の時間位置（５０’）として解釈し、任意選択でユーザへのフィードバックとして直ちにこの時間情報を進行中の映画の上部に表示すると仮定する。マウスのクリックによってプレビューフラグメントの開始点として時間位置５０’を選択した後に、メディアクライアントＭＣの入力解釈部ＩＩＰは、５０’の時間情報をクライアント解釈部、結合された通信ネットワーク、および結合されたサーバインターフェース部ＳＩＰを通じて、メディアサーバＭＳに送ることになる。次いで取り出し部ＲＰは、主題Ｘを有するビデオに関してメディア資産保管場所を調べ、映画の始まりからの時間５０’に関連付けられた１つまたは複数の関連のあるフレームを検出する。あるいは取り出し部は、時間位置５０’を含むフレームから開始する、主題Ｘを有するＹｏｕＴｕｂｅビデオの１つまたは複数の後続のフレーム（後続のフレームの数は予め定められる）をフェッチすることもできる。その後に取り出し部ＲＰは、サーバインターフェース部ＳＩＰおよび通信ネットワークＣＮを通じて、要求するメディアクライアントＭＣに向かって、取り出されたフレームまたは一連のフレームを送出する。メディアクライアントＭＣにおいて、（１つまたは複数の）プレビューフレームである、取り出されたフレームまたは一連のフレームを受け取ると、メディアクライアントＭＣのフラグメント提示部ＦＰＰは、結合されたディスプレイであるところのユーザインターフェース部において、メディア資産保管場所から取り出された前記メディア資産の関連のあるフラグメントを提示する。
【００３４】
フラグメント提示部ＦＰＰは、メディアクライアント（ＭＣ）において、メディア資産のプレビューフラグメントを進行中のメディア資産表示内に、すなわち主題Ｘを有するビデオ全体のストリーミング内に統合することができる。統合は、画像表示における画像として進行中のビデオ表示内にプレビューを混合する、または進行中のビデオ表示の上にプレビューを重ねるものとすることができる。
【００３５】
あるいはフラグメント提示部ＦＰＰは、結合されたディスプレイ上にメディア資産のプレビューフラグメントを個々に表示することができ、その場合はこれは主題Ｘを有するビデオ全体を再生する代わりとなる。
【００３６】
加えてメディアサーバＭＳはさらに、メディアクライアントが関連のあるビデオ資産フラグメントを提示するステップの前に、メディア資産すなわち主題Ｘを有するビデオの、第１の決定されたプレビューフラグメントを処理することによって派生フラグメントを生成するための処理部ＰＰを備えることができる。メディア資産のプレビューフラグメントの処理は、フレームを縮小しその後に、縮小した関連のあるフラグメントすなわち派生フラグメントを、メディアクライアントＭＣに送るものとすることができる。
【００３７】
アプリケーション要件に応じて、派生フラグメントを得るために、他のメディア処理技術をプレビューフラグメントに適用することができる。
【００３８】
他のメディア処理技術は、前記関連のあるメディア資産フラグメントに対するフィルタリング、物体認識、スケーリング、圧縮、３次元抽出などとすることができる。
【００３９】
ネットワーク帯域幅に基づくスケーリングおよび圧縮の場合は、プレビューメディア、すなわち取り出されたプレビューフラグメントはさらに、クライアントに送り返される前に、縮小または圧縮することができる。フィルタリングの場合は、取り出されたプレビューフラグメントの背景、および／またはプレビューフラグメントからの他の要素は、クライアントに向けてプレビューフラグメントを送る前にフラグメントからフィルタ除去することができ、フィルタリングは一定の要件に基づいて行うことができる。物体認識の場合は特定の物体を認識し、強調表示することができる。
【００４０】
メディア資産はオーディオを有するまたは有しないビデオ資産である代わりに、メディア資産は単にオーディオ資産でもよいことに留意すべきである。
【００４１】
最後の留意点は本発明の実施形態について上記では機能ブロックにより述べたことである。上述のこれらのブロックの機能的な説明から、電子装置を設計する当業者には、よく知られている電子構成要素を用いてどのようにしてこれらのブロックの実施形態を製造できるかは明らかであろう。したがって機能ブロックの内容の詳細なアーキテクチャについては述べていない。
【００４２】
以上本発明の原理について特定の装置に関連して述べてきたが、この説明は単に例示として示され、添付の特許請求の範囲で定義されるような本発明の範囲を限定するものではないことが明確に理解されるべきである。
【図１】
2015504633.tif 000003
【図２】
2015504633.tif 000004
【国際調査報告】
2015504633.tif 000005
2015504633.tif 000006